(57)【要約】【課題】従来のフード式頭髪促進装置における蒸気による頭髪促進を行った後の自然乾燥にあっては、冷却に時間が掛かるため第２薬液を塗布するまでの時間が長くなるといった問題があった。【解決手段】被施術者の頭部に被せ蒸気を供給することによりトリートメント等の促進を行うためのフードＤの空間に蒸気を供給する蒸気発生機３と、蒸気発生機による促進後に冷却のための風を前記フード内に供給する送風機４とからなるフード式頭髪促進装置である。【選択図】　　　　図１
2004000415.tif 000002
【特許請求の範囲】
【請求項１】
被施術者の頭部に被せ蒸気を供給することによりトリートメント等の促進を行うためのフードの空間に蒸気を供給する蒸気発生機と、蒸気発生機による促進後に冷却のための風を前記フード内に供給する送風機とからなるフード式頭髪促進装置。
【請求項２】
前記送風機からの風をフード内に導入するためのパイプに、送風機からの送風が行われていない状態では閉止し、送風が行われると風圧によって揺動しフード内に送風を行う蓋を取付けたことを特徴とする請求項１記載のフード式頭髪促進装置。
【請求項３】
前記蒸気発生機から前記フード内に蒸気を発生するためのパイプと、前記送風機からの風を前記フード内に導入するためのパイプとを二股状に連結し、前記蒸気発生機からの蒸気がフード内に供給されている状態においては、前記送風機側のパイプ内が負圧状態となって蒸気が送風機側に侵入しないようにしたことを特徴とする請求項１記載のフード式頭髪促進装置。
【請求項４】
被施術者の頭部に被せ蒸気を供給することによりトリートメント等の促進を行うためのフードに、蒸気を供給する蒸気発生機と、蒸気発生機による促進後に冷却のための風を前記フード内に供給する送風機と、前記蒸気発生機および送風機よりの蒸気、風のフード吐出口に取付けられ蒸気および風をフード内に拡散するための分散板とから構成したことを特徴とするフード式頭髪促進装置。
【請求項５】
前記フードの開口部に、該フードの内周面より滴下する水を受けるための水路を形成し、前記フードを開放した状態において最低位位置となる部分に穴を開口し、該穴に対してドレーンタンクを着脱自在に取付けたことを特徴とする請求項１または２記載のフード式頭髪促進装置。
【請求項６】
被施術者の頭部に被せ蒸気を供給することによりトリートメント等の促進を行うためのフードが取付けられた柱状の本体に内蔵され、フードの空間に対して蒸気を供給する蒸気発生機と、前記フードの中心線上の後方に位置し、かつ、本体の上面に後傾した状態で形成された位置に少なくとも前記蒸気発生機の制御を行うための操作部とを具備したことを特徴とするフード式頭髪促進装置。
【請求項７】
被施術者の頭部に被せ蒸気を供給することによりトリートメント等の促進を行うためのフードが取付けられた柱状の本体に内蔵され、フードの空間に対して蒸気を供給する蒸気発生機と、前記本体に着脱自在に取付けられる前記蒸気発生機に水を供給するための給水タンクとから構成され、該給水タンクは本体の後方斜め方向から装着が可能なようにしたことを特徴とするフード式頭髪促進装置。
【請求項８】
被施術者の頭部に被せ蒸気を供給することによりトリートメント等の促進を行うためのフードが取付けられた柱状の本体に内蔵され、フードの空間に対して蒸気を供給する蒸気発生機と、前記本体に着脱自在に取付けられる前記蒸気発生機に水を供給するための給水タンクと、該給水タンクの底面から残水を排水するための排水バルブと、該排水バルブの下面に取り外し可能に前記本体に取付けられたドレーンカップとを具備したことを特徴とするフード式頭髪促進装置。
【発明の詳細な説明】
【０００１】
【発明の属する技術分野】
本発明はフードに対して蒸気を供給して頭髪促進を行い、その後に送風を行って冷却させることにより頭髪処理の時間を短縮して全体の頭髪処理促進が短時間が行えるようにしたフード式頭髪促進装置に関する。
【０００２】
【従来の技術】
従来におけるフード式頭髪促進装置にあっては、トリートメント等を行う場合にはトリートメントの第１薬液を頭髪に塗布した後、フードを被施術者の頭部に被せた状態でフード内に蒸気を供給して頭髪の促進を図り、促進が終了したなら蒸気の供給を停止し、その後、フードを被ったまま自然冷却を行い、ある程度冷却してから第２薬液を塗布して前記したと同様な作業を行うものであった。
【０００３】
【発明が解決しようとする課題】
ところで、前記した従来例における蒸気による頭髪促進を行った後の自然冷却にあっては、冷却に時間が掛かるため第２薬液を塗布するまでの時間が長くなるといった問題があった。
【０００４】
本発明は前記した問題点を解決せんとするもので、その目的とするところは、フードに対して蒸気発生機からの蒸気と送風機からの送風を行えるようにしたので、蒸気による頭髪促進が終了した後に送風機からの送風によって冷却時間の短縮を図ることができ、これにより、頭髪処理促進の時間を短縮できて全体の作業時間を短縮することができるフード式頭髪促進装置を提供せんとするにある。
【０００５】
【課題を解決するための手段】
本発明のフード式頭髪促進装置は前記した目的を達成せんとするもので、その請求項１の手段は、被施術者の頭部に被せ蒸気を供給することによりトリートメント等の促進を行うためのフードの空間に蒸気を供給する蒸気発生機と、蒸気発生機による促進後に冷却のための風を前記フード内に供給する送風機とから構成したものである。
【０００６】
請求項２の手段は、請求項１の手段において、前記送風機からの風をフード内に導入するためのパイプに、送風機からの送風が行われていない状態では閉止し、送風が行われると風圧によって揺動しフード内に送風を行う蓋を取付けたものである。
【０００７】
請求項３の手段は、請求項１の手段において、前記蒸気発生機から前記フード内に蒸気を発生するためのパイプと、前記送風機からの風を前記フード内に導入するためのパイプとを二股状に連結し、前記蒸気発生機からの蒸気がフード内に供給されている状態においては、前記送風機側のパイプ内が負圧状態となって蒸気が送風機側に侵入しないようにしたものである。
【０００８】
請求項４の手段は、被施術者の頭部に被せ蒸気を供給することによりトリートメント等の促進を行うためのフードに、蒸気を供給する蒸気発生機と、蒸気発生機による促進後に冷却のための風を前記フード内に供給する送風機と、前記蒸気発生機および送風機よりの蒸気、風のフード吐出口に取付けられ蒸気および風をフード内に拡散するための分散板とから構成したものである。
【０００９】
請求項５の手段は、請求項１および４において、前記フードの開口部に、該フードの内周面より滴下する水を受けるための水路を形成し、前記フードを開放した状態において最低位位置となる部分に穴を開口し、該穴に対してドレーンタンクを着脱自在に取付けたことを特徴とする。
【００１０】
請求項６の手段は、被施術者の頭部に被せ蒸気を供給することによりトリートメント等の促進を行うためのフードが取付けられた柱状の本体に内蔵され、フードの空間に対して蒸気を供給する蒸気発生機と、前記フードの中心線上の後方に位置し、かつ、本体の上面に後傾した状態で形成された位置に少なくとも前記蒸気発生機の制御を行うための操作部とを具備したものである。
【００１１】
請求項７の手段は、被施術者の頭部に被せ蒸気を供給することによりトリートメント等の促進を行うためのフードが取付けられた柱状の本体に内蔵され、フードの空間に対して蒸気を供給する蒸気発生機と、前記本体に着脱自在に取付けられる前記蒸気発生機に水を供給するための給水タンクとから構成され、該給水タンクは本体の後方斜め方向から装着が可能なようにしたものである。
【００１２】
請求項８の手段は、被施術者の頭部に被せ蒸気を供給することによりトリートメント等の促進を行うためのフードが取付けられた柱状の本体に内蔵され、フードの空間に対して蒸気を供給する蒸気発生機と、前記本体に着脱自在に取付けられる前記蒸気発生機に水を供給するための給水タンクと、該給水タンクの底面から残水を排水するための排水バルブと、該排水バルブの下面に取り外し可能に前記本体に取付けられたドレーンカップとを具備したものである。
【００１３】
【発明の実施の形態】
以下、本発明に係るフード式頭髪促進装置の一実施の形態を図１と共に概略について説明する。
Ａはキャスター付きの基台、Ｂは該基台１に固定された支柱、Ｃは該支柱Ｂに対して後述する上下動機構、水タンクおよび水タンク内の水を蒸気化する蒸気発生機、送風機、給水タンク内の水を排水した時に受けるドレーンカップ、後述するフードＤに滞留した湯分を受けるドレーン受け等が内蔵され、また、蒸気発生機の駆動時間や送風機の駆動時間等を設定するための操作部が設けられた本体にして、全体がカバーによって覆われている。
【００１４】
Ｄは前記本体Ｃの上部に上下方向に回動および固定可能に取付けられたフード、Ｅは前記本体Ｃの同じく上部に固定され、被施術者が椅子等に着座した状態で首の後ろ側に当接させ、前記フードＤに対する被施術者の頭部位置決めを行うためのネック受けである。
【００１５】
次に、本体Ｃの具体的構成を図２、図３と共に説明する。
先ず、上下動機構１の第１の実施の形態を図２と共に説明するに、１１は前記フードＤおよびネック受けＥが取付けられる基板にして、１２は前記基板１１の裏面から垂下された軸杆１２にして、該軸杆１２の下端が前記支柱Ｂ内に挿入されたスプリング等の弾性部材１３の上端に当接され、常時、基板１１を上方に向かってバネ付勢している。
【００１６】
また、前記基板１１の裏面には前記支柱Ｂに対して摺動自在に上下動管１４が取付けられている。１５は前記基板１１に対して回転自在に取付けられた回転軸にして、先端にはハンドル１６が取付けられている。そして、前記回転軸１５には前記上下動管１４に対してフリーな断面がコの字状のブレーキ押え１７がリンク１８を介して取付けられている。従って、ブレーキ押え１７はハンドル１６を回転するとリンク１８を介して上下動管１４に対して上下動することとなる。
【００１７】
前記ブレーキ押え１７には下端部に上下動管１４に向かって近接する形状の凸面１７ａが長手方向に沿って形成されている。１９は前記上下動管１４に対して直交する方向に対してのみ移動可能に取付けられたブレーキにして、支柱Ｂに摺接するブレーキパッド１９ａが取付けられ、また、ブレーキ押え１７はブレーキ１９を介して上下動管１４に対して上下方向のみ移動可能に取付けられている。
【００１８】
このように構成した上下動機構１にあっては、図２に示すようにハンドル１６を水平にして上下動管１４に取付けられているブレーキ１９がブレーキ押え１７の凸面１ａによって支柱Ｂ側に移動た状態とすると、ブレーキパッド１９ａが支柱Ｂに圧接される。これにより、上下動管１４は弾性部材１３のバネ力に抗して支柱Ｂに対して固定状態となる。
【００１９】
そして、基板１１を上昇させるには、ハンドル１６を回転して図２の状態から略９０度回転すると、ブレーキ押え１７が上下動管１４に対して上昇するので、該ブレーキ押え１７の凸面１７ａがブレーキ１９から離脱して、ブレーキパッド１９ａと支柱Ｂとの圧接力は解除されて上下動管１４は上下動方向がフリーな状態となる。
【００２０】
この状態において、上下動管１４は弾性部材１３によって上方向にはバネ力が作用しているので、上下動管１４を容易に上昇させることができ、また、下降させるには弾性部材１３のバネ力に抗して押し下げることで下降させることができる。そして、所望の上昇位置あるいは下降位置においてハンドル１６を元の位置に回転することで、前記した動作によってブレーキパッド１９ａが支柱Ｂに圧接されるので、その位置において支柱Ｂに対して固定することができる。
【００２１】
次に、図３に示す他の上下動機構２について説明する。なお、前記した図２の実施の形態と同一符号は同一部材を示し説明は省略する。
この実施の形態にあっては、支柱Ｂに対して上下動管１４をブレーキ１９によって固定する手段として、ブレーキ押え１７の凸面１７ａによってブレーキパッド１９ａを支柱Ｂに対して圧接するものである。
【００２２】
これに対して第２の実施の形態のものは、ハンドル１６の回動によってリンク１８を介して上下動する上下動軸杆２１に円錐状ブレーキ押え２２を取付け、この円錐状ブレーキ押え２２の大径部２２ａによってブレーキ１９のブレーキパッド１９ａを支柱Ｂ側に圧接させ、小径部２２ｂがブレーキ１９に位置した時には前記圧接力を解除するようにしたものである。なお、２３はブレーキ１９を上下動管１４に取付けるための取付具にして、この取付具２３に上下動管２１はガイドされている。
【００２３】
次に、本体Ｃにおける蒸気発生機３を図１と共に説明する。
本体Ｃのケース内には、前記上下動管１４に固定された蒸気発生手段３が取付けられており、該蒸気発生機３により発生した蒸気はフレキシブルパイプ３１を介してフードＤ内に導出される。前記蒸気発生手段３の下部には斜め上方から抜き差し可能な給水タンク３２が取付けられ、該給水タンク３２はケース内に収納した状態でケースの一部となるように構成されている。また、給水タンク３２の下部は、給水タンク受けに設置するとタンクの下面は開放状態となり、排水バルブ３３を開放することにより給水タンク３２内の水は排水されるように構成されている。
【００２４】
そして、排水バルブ３３の下面にはケースに対して着脱自在なドレーンカップ３３が配置されおり、作業終了時等において給水タンク３２内の水を排水バルブ３３を開放してドレーンカップ３４内に溜めて排水することが可能なように構成されている。
【００２５】
また、本体Ｃのケース内にはモータとファンからなる送風機４が前記上下動管１４に取付けられており、該送風機４からの冷風はフレキシブルパイプ４１を介して前記蒸気発生機３よりの蒸気を送るためのフレキシブルパイプ４１と上下方向に並列してフードＤ内に導出されている。
【００２６】
さらに、本体Ｃのケース内にはフードＤに供給され水となった蒸気を排出ための開口部の折り返しによって形成された水路７１ｂよりの水を溜めるためのドレーンタンク５が配置されており、前記水路７１ｂに連結されたパイプ５１の先端にねじ込みによって着脱自在に取付けられている。
【００２７】
また、本体Ｃのケースの上面には前記蒸気発生機３のオン・オフおよび発生時間、送風機４の駆動時および蒸気発生機３がオフ状態となってから送風機４への切り換えを自動的に制御するための制御回路を備えた操作部６が操作し易いように後傾するように形成されている。
【００２８】
次に、フードＤの構成を図４〜図７と共に説明する。
フードＤは固定フード７１と、該固定フード７１の前方において軸支された開閉フード７２から構成されており、固定フード７１の基部７１ａは上下動可能な前記基板１に立設された一対の起立板７３に対して回動自在で、かつ、水平状態（図４）と起立状態（図５）との２位置においてロック可能に軸支されている。
【００２９】
また、固定フード７１の開口部には折り返しされた水路７１ｂが全周にわたって形成されており、最も高さが低い位置において前記パイプ５１と連結される穴が開口されている。従って、水路７１ｂに溜まった水蒸気から水滴となった水は前記穴からパイプ５１を介してドレーンタンク５に溜まるようになっている。
【００３０】
さらに、前記固定フード７１の前記起立板７３側に前記蒸気発生機３のフレキシブルパイプ３１と送風機４のフレキシブルパイプ４１の先端が開口して取付けられており、かつ、これらのフレキシブルパイプ３１，４１と対向する位置の固定フード７１の内周面に拡散板７１ｃが取付けられ、この拡散板７１ｃによって蒸気および冷風は直接的に被施術者の後頭部に当たることなく全周から頭部に当たるようになっている。
【００３１】
開閉フード７２は断熱効果を得るために全体が二重構造に形成されており、前記固定フード７１の先端側において軸７２ａによって開閉自在に軸支され、かつ、巻バネ７２ｂによって開閉フード７２が閉じる方向にバネ付勢されている。そして、開閉フード７２は閉じた状態において固定フード７１の基部側においてロック可能に形成されている。なお、ロック機構としてマグネットを固定フード７１側に取付け、開閉フード７２側に磁性体を取付けてもよく、あるいは公知のロック、アンロックが可能なロック機構でもよい。
【００３２】
次に、ネック受けＥの詳細を図４、図５と共に説明する。
このネック受けＥは前記起立板７３に基部側が固定されたアーム部８１と、該アーム部８１の先端に固定されたネック当接部８２とより構成され、被施術者の後ろ側首にネック当接部８２に当接させた状態において、フードＤを頭部に被せるとフードＤの略中央に被施術者の頭部が位置するようになる。なお、ネック当接部の形状は円柱状に形成し、かつ、弾性部材で構成することで、枕パッドとして利用できる。
【００３３】
次に、前記した構成に基づいて被施術者の頭髪促進を行う場合について説明する。
先ず、フードＤを上方に回動した状態においてトリートメント等の第１薬液を毛髪に塗布した被施術者を椅子に座らせる。次いで、ハンドル１６を回動してブレーキ押え１７あるいは円錐状ブレーキ押え２１を下降させ、ブレーキ１９のブレーキパッド１９ａを支柱Ｂから離して本体Ｃの高さ調整を行い、ネック受けＥのネック当接部８２が被施術者の後ろ側首に位置するように被施術者の頭部位置を調整する。そして、ハンドル１６を元の位置に回動してブレーキパッド１９ａを支柱Ｂに対して圧接させて本体Ｃを支柱に対して固定する。
【００３４】
この状態において、フードＤを基板１１に対して基部を回動させて被施術者の頭部に被せ、操作部６を操作して前記塗布した薬液に適した時間と、それに続く送風機の動作時間をセットする。これにより、蒸気発生機３から発生した水蒸気はフレキシブルパイプ３１を介してフードＤ内に供給され、固定フード７１内に取付けられた拡散板７１ｃによってフードＤ内全体に噴霧されて頭髪に高温の湿りけを与え頭髪の促進が行われる。
【００３５】
そして、前記セットした蒸気発生機３の動作が終了すると、続いて送風機４が動作して冷風がフレキシブルパイプ４１を介してフードＤ内に供給され、前記したと同様に拡散板７１ｃによってフードＤ内全体から冷風を頭髪に吹きつけて乾燥が行われる。
【００３６】
このように第１薬液による頭髪促進が終了したなら、開閉フード７２と固定フード７１とのロックを解除して、開閉フード７２を前方に向かって開放して被施術者の後部が後方に位置する施術者から見えるようにする。なお開閉フード７２は一度開放されるとスプリング７２ｂのバネ力によって開放状態が保持される。
【００３７】
そして、施術者が後方より第２薬液を塗布した後、開閉フード７２を閉めロックして再び操作部６によって水蒸気の発生時間および送風機４の冷風時間をセットして頭髪促進を行い、該頭髪促進が終了したならハンドル１６を回動してブレーキパッド１９ａを支柱Ｂから離して本体Ｃを上昇させ、被施術者を椅子から退去させて全ての頭髪促進は終了する。
【００３８】
なお、前記したフードＤにおける固定フード７１に対する開閉フード７２は、固定フード７１の前方において上下方向に開閉する場合を示したが、開閉フード７２は左右方向に開閉するものであったり、開閉フード７２を左右方向に２分割してそれぞれを左右方向にスライドさせて被施術者の頭部を後方から見えるようにしてもよい。
【００３９】
前記した実施の形態において、頭髪の蒸気による促進後に送風機４からの送風によって乾燥を早めることが記載されているが、蒸気発生機３からフレキシブルパイプ３１を介して蒸気がフードＤ内に供給されると、該蒸気が送風機４に接続されているフレキシブルパイプ４１内に侵入して送風機４を錆びさせるという問題がある。
【００４０】
そこで、このような問題を解決するものとして、図９〜図１２に示す構造のものを採用した。なお、図８は蒸気発生機３の一例を示すもので、図１に示すように蒸気発生機３は給水タンク３２の下部に配置され、該給水タンク３２から水滴として蒸気発生機３の容器３５内に供給される構造である。
【００４１】
そして、容器３５の裏面には超音波振動子３５ａとヒータ３５ｂが取付けられているので、滴下されてくる水滴は容器３５内に貯留されると共に超音波振動子３５ａによってミスト状態となり、また、ヒータ３５ｂによって蒸気が発生し、これらのミストと蒸気はファン３６によって送風管３７を介して高圧状態でフレキシブルパイプ３１内に送られフードＤに供給される。従って、フレキシブルパイプ３１の先端から排出される蒸気は高圧状態であることから、前記したように送風機４側のフレキシブルパイプ４１内に侵入することとなる。
【００４２】
図９、図１０においては、フレキシブルパイプ４１のフードＤ内に臨んでいる開口先端４１ａに上端において揺動自在に軸支され、閉じた状態で開口先端４１ａを閉塞する蓋４２を取付けたものである。この蓋４２は送風機４からの風圧によっては開口先端４１ａを開放するように揺動するように構成されている。
【００４３】
従って、フードＤ内に水蒸気が供給されている状態においては、蓋４２は自重および水蒸気のフードＤ内への供給圧とによって開口先端４１ａを閉塞状態となるので、水蒸気による送風機側の錆の発生を防止でき、また、水蒸気の発生が停止し送風機４よりの送風が行われると風圧によって上方に揺動して開口先端４１ａを開放するので、送風機４よりの送風によって頭髪の乾燥が行われる。
【００４４】
図１１、図１２は他の実施の形態を示し、この実施の形態にあっては、蒸気発生機３に接続されているフレキシブルパイプ３１と、送風機４に接続されているフレキシブルパイプ４１とをフードＤの外側において二股パイプ４３の分離側に接続し、該二股パイプ４３の共通側をフードＤの入口側に取付けたものである。なお、図９、図１０と同一符号は同一部分を示し説明は省略する。
【００４５】
このような構成とすることで、蒸気発生機３から発生した水蒸気はフレキシブルパイプ３１および二股パイプ４３を介してフードＤ内に供給されるが、二股パイプ４３内を通過する時に、その速度によってフレキシブルパイプ４１内は負圧状態となり、すなわち、送風機４側から空気が水蒸気の流通側に引っ張られる状態となるので、送風機４側に水蒸気が侵入することがなく、従って、水蒸気による送風機側の錆の発生を防止できる。
【００４６】
また、水蒸気の発生を停止して送風機４を駆動して送風を行い乾燥を行っている場合には、該送風機４からの風が前記したと同様な作用によって蒸気発生機３側に侵入することがないので、容器３５内の温まっている湯を冷却することがなくなるものである。
【００４７】
【発明の効果】
本発明は前記したように、フードに対して蒸気発生機よりの蒸気を供給して頭髪の促進を行った後の冷却時に、送風機よりの風を送るようにしたので、蒸気による頭髪促進後の冷却時間の短縮が図れるので、例えば、２液を用いて頭髪の促進を行う場合の１薬液から２薬液塗布までの時間が短縮され、従って、頭髪促進全体の時間が短縮され全体の作業時間を短縮することができる。
【００４８】
また、前記蒸気および風のフード空間内への吐出部分に分散板を配置したことにより、頭髪全体に均一に蒸気および風を吹きつけることができ、従って、頭髪の促進を効率良く行うことができる。
【００４９】
さらに、フードの内壁面に付着した水滴は、該フードの開口部に形成された水路を経てドレーンタンクに溜まるので、水滴が被施術者の衣服を汚したり床面を汚したりすることがなく、かつ、ドレーンタンクは着脱自在に形成されているので、水滴の処理を簡単に行うことができる。
【００５０】
また、蒸気発生機のからの蒸気吐出時間等を設定するための操作部を、フードが取付けられた柱状の本体上面で、かつ、フードの背面側に後方に傾斜して配置したことにより、前記操作部による設定が施術者にとって簡単、かつ、操作し易いものである。
【００５１】
さらに、蒸気発生機に水を供給するための給水タンクを本体の後方斜め方向から抜き差し自在に設置できるようにしたので、蒸気発生機への水の供給が簡単に行え、また、給水タンク内の水が不要となった場合には、排水バルブを開いて本体に対して着脱自在なドレーンカップに移すことができるので、施術者の手の開いた時にドレーンカップを本体から外してドレーンタンク内の水を処理することででき、従って、ドレーンカップ内の排水作業が容易、かつ、何時でも行えるものである。
【００５２】
また、本発明にあっては、送風機側の出口側に蓋を取付け、あるいは、送風機側のパイプと蒸気発生機側のパイプとを二股パイプに連結したので、蒸気発生機よりの水蒸気が送風機側に入り込むことがなく、従って、送風機の錆や湿度による故障等を防止でき、さらに、二股パイプに接続した構造の場合には、送風機側からの風か蒸気発生機内に侵入することがないので、蒸気発生機内のお湯を冷却するのも防止できる等の効果を有するものである。
【図面の簡単な説明】
【図１】本発明に係るフード式頭髪促進装置の全体を示す側面図である。
【図２】同上における上下動機構の断面図である。
【図３】他の実施の形態の上下動機構の断面図である。
【図４】フードを被せる状態の斜視図である。
【図５】フードを立ち上げた状態の斜視図である。
【図６】フードにおける開閉フードを閉じた状態の斜視図である。
【図７】同上の開閉フードを開放した状態の斜視図である。
【図８】蒸気発生機の原理を示す説明図である。
【図９】水蒸気の送風機への侵入を防止する装置の第１の実施の形態を示す送風機が動作している状態の断面図である。
【図１０】同上における蒸気発生機が動作している状態の断面図である。
【図１１】水蒸気の送風機への侵入を防止する装置の第２の実施の形態を示す送風機が動作している状態の断面図である。
【図１２】同上における蒸気発生機が動作している状態の断面図である。
【符号の説明】
Ａ　　　　基台
Ｂ　　　　支柱
Ｃ　　　　本体
Ｄ　　　　フード
Ｅ　　　　ネック受け
３　　　　蒸気発生機
３１　　　フレキシブルパイプ
３２　　　給水タンク
３３　　　排水バルブ
３４　　　ドレーンカップ
４　　　　送風機
４１　　　フレキシブルパイプ
４１ａ　　開口先端
４２　　　蓋
４３　　　二股パイプ
５　　　　ドレーンタンク
６　　　　操作部
７１　　　固定フード
７１ｂ　　水路
７１ｃ　　分散板
【図１】
2004000415.tif 000003
【図２】
2004000415.tif 000004
【図３】
2004000415.tif 000005
【図４】
2004000415.tif 000006
【図５】
2004000415.tif 000007
【図６】
2004000415.tif 000008
【図７】
2004000415.tif 000009
【図８】
2004000415.tif 000010
【図９】
2004000415.tif 000011
【図１０】
2004000415.tif 000012
【図１１】
2004000415.tif 000013
【図１２】
2004000415.tif 000014